(57)【特許請求の範囲】
【請求項１】
スペーサ本体と、
スペーサ本体の両端にそれぞれ設けられたフランジと、
を有するカウンターウエイトスペーサの着脱作業に使用するカウンターウエイトスペーサ用治具において、
隣接した２つのフランジを外周側から挟み込み可能な、少なくとも２個の断面コ字状の治具本体と、
治具本体に接続され、作業中における治具本体の落下を防止する落下防止金具と、
を有し、
落下防止金具は、治具本体の取り付け対象となるフランジ以外のフランジに取り付けられ、
治具本体は、長手方向の一端に、その長手方向に直交するフランジの外面に当接する当接部を有し、当該当接部は、フランジに対応するように取り付けられる２つの治具本体を接続するように形成される、
ことを特徴とするカウンターウエイトスペーサ用治具。
【請求項２】
請求項１に記載のカウンターウエイトスペーサ用治具において、
治具本体には、隣接した２つのフランジを締結する締結部材との接触を避けるための切欠き部が形成される、
ことを特徴とするカウンターウエイトスペーサ用治具。
【請求項３】
請求項１または２に記載のカウンターウエイトスペーサ用治具において、
治具本体は、下側のフランジとの接触面に設けられ、そのフランジに吸着する吸着部材を有する、
ことを特徴とするカウンターウエイトスペーサ用治具。
【請求項４】
請求項１から３のいずれか１つに記載のカウンターウエイトスペーサ用治具において、
治具本体は、フランジとの接触面に形成され、治具本体とフランジの相対的移動を容易にするガイド部を有する、
ことを特徴とするカウンターウエイトスペーサ用治具。
【請求項５】
請求項４に記載のカウンターウエイトスペーサ用治具において、
ガイド部は、上側のフランジとの接触面に設けられ、治具本体の長手方向に伸びるように形成される溝構造である、
ことを特徴とするカウンターウエイトスペーサ用治具。
【発明の詳細な説明】
【技術分野】
【０００１】
本発明は、エレベータのカウンターウエイトスペーサ用治具、特にカウンターウエイトに取り付けられたスペーサに対して他のスペーサを着脱する際に用いられる治具に関する。
【背景技術】
【０００２】
従来から、機械室に設けられた巻上機により、ロープを動かし、このロープの両端に取り付けられた乗りかごとカウンターウエイトを、昇降路の上下方向に伸びて配置されたレールに沿って動かすエレベータが知られている。
【０００３】
このようなエレベータにおいては、カウンターウエイトが事故などにより昇降路の下部に位置するピットへ衝突してしまう際、その衝撃を吸収する緩衝器がピットの床面に設けられる。通常、カウンターウエイトが最低位置まで降下した際のカウンターウエイトと緩衝器の間の距離は、法令により規定されたトップクリアランスより大きく設定されている。その距離の調整は、作業員がカウンターウエイトの下部に対して１個または複数個のカウンターウエイトスペーサを着脱することで行われる。カウンターウエイトスペーサは、スペーサ本体と、スペーサ本体の両端に設けられたフランジとで構成される場合がある。この場合、隣接するカウンターウエイトスペーサのフランジ同士を締結部材で締結して、カウンターウエイトスペーサを鉛直方向に複数個連結することにより、カウンターウエイトと緩衝器の間の距離を所望の長さに調整することができる。
【０００４】
通常、カウンターウエイトに取り付けられるロープは、常に緊張状態にあるので、時間の経過とともに伸びる。そのため、カウンターウエイトと緩衝器の距離は、時間とともに小さくなるので、その距離の調整は作業員により定期的に行われる。また、改修工事などによりロープが張り替えられた場合にも、カウンターウエイトと緩衝器間の調整が必要となる。したがって、エレベータを運用する間においては、カウンターウエイトと緩衝器の距離は、作業員がカウンターウエイトスペーサを着脱することで、幾度となく調整される。
【０００５】
下記特許文献１には、昇降路内において最低位置まで下降したカウンターウエイトと、ピットに設けられた緩衝器との距離を測定するカウンタークリアランス測定治具が記載されている。この測定治具は、カウンターウエイトの下端部に設けられ、鉛直方向に伸縮自在な測定部を有し、この測定部の伸縮後の長さが保持されることにより、カウンターウエイトと緩衝器の距離を測定する。
【先行技術文献】
【特許文献】
【０００６】
【特許文献１】特開平６−２６３３５２号公報
【発明の概要】
【発明が解決しようとする課題】
【０００７】
上述したように、エレベータが運用している間においては、カウンターウエイトと緩衝器の距離は、何度も調整される。この調整作業、すなわちカウンターウエイトスペーサの着脱作業には、安全性及び作業性に問題がある。
【０００８】
具体的には、作業場所である昇降路内は暗いので、作業性と安全性はともに悪い。そして、作業時の足場のレベルは、エレベータの仕様または手順によって異なり、ピット床面、仮設足場上または乗りかご上であり、必ずしも作業姿勢が良いとは限らない。しかも、カウンターウエイトスペーサ自体が重いので、当然に重労働であるとともに、スペーサの落下を防止するために、二人の作業員による慎重な作業が求められ、時間もかかる。
【０００９】
本発明の目的は、カウンターウエイトスペーサの着脱作業において、安全性及び作業性の向上を図ることができるカウンターウエイトスペーサ用治具を提供することにある。
【課題を解決するための手段】
【００１０】
本発明は、スペーサ本体と、スペーサ本体の両端にそれぞれ設けられたフランジと、を有するカウンターウエイトスペーサの着脱作業に使用するカウンターウエイトスペーサ用治具において、隣接した２つのフランジを外周側から挟み込み可能な、少なくとも２個の断面コ字状の治具本体と、治具本体に接続され、作業中における治具本体の落下を防止する落下防止金具と、を有し、落下防止金具は、治具本体の取り付け対象となるフランジ以外のフランジに取り付けられ、治具本体は、長手方向の一端に、その長手方向に直交するフランジの外面に当接する当接部を有し、当該当接部は、フランジに対応するように取り付けられる２つの治具本体を接続するように形成されることを特徴とする。
【００１２】
また、治具本体には、隣接した２つのフランジを締結する締結部材との接触を避けるための切欠き部が形成されることができる。
【００１３】
また、治具本体は、下側のフランジとの接触面に設けられ、そのフランジに吸着する吸着部材を有することができる。
【００１４】
また、治具本体は、フランジとの接触面に形成され、治具本体とフランジの相対的移動を容易にするガイド部を有することができる。
【００１５】
また、ガイド部は、上側のフランジとの接触面に設けられ、治具本体の長手方向に伸びるように形成される溝構造であることが好適である。
【発明の効果】
【００１８】
本発明のカウンターウエイトスペーサ用治具によれば、カウンターウエイトスペーサの着脱作業において、安全性及び作業性の向上を図ることができる。
【図面の簡単な説明】
【００１９】
【図１】エレベータの概略構成を示す図である。
【図２】本実施形態に係るカウンターウエイトスペーサ用治具を示す斜視図である。
【図３】本実施形態に係るカウンターウエイトスペーサ用治具を示す側面図である。
【図４】図３のＡ−Ａ線による断面図である。
【図５】別の実施形態のカウンターウエイトスペーサ用治具を示す斜視図である。
【発明を実施するための形態】
【００２０】
以下、本発明に係るカウンターウエイトスペーサ用治具の実施形態について、図を用いて説明する。
【００２１】
まず、カウンターウエイトスペーサ用治具（以下、単に治具と記す）が使用されるエレベータの概略構成について、図１を用いて説明する。
【００２２】
エレベータ１０は、機械室１２に設けられた巻上機１４により、ロープ１６を動かし、このロープ１６の両端に取り付けられた乗りかご１８とカウンターウエイト２０を、昇降路２２の上下方向に伸びて配置されたレール（図示せず）に沿って動かす装置である。
【００２３】
エレベータ１０は、また、昇降路２２の下部に位置するピット２４の床面に設けられ緩衝器２６を有する。緩衝器２６は、スプリング式または油圧式などであり、カウンターウエイト２０が事故などによりピット２４の床面へ衝突してしまう際、その衝撃を吸収する。
【００２４】
カウンターウエイト２０の下部には、カウンターウエイトスペーサ２８が設けられる。カウンターウエイトスペーサ２８は、鉛直方向におけるカウンターウエイト２０の長さを調整するための部材である。カウンターウエイトスペーサ２８は、鉛直方向に連結して設けられ、最下端のカウンターウエイトスペーサ２８と緩衝器２６の間の距離が、法令により規定されたトップクリアランスより大きくなるように設定される。
【００２５】
次に、カウンターウエイトスペーサ（以下、単にスペーサと記す）２８と治具３０の構成について、図２から４を用いて説明する。図２は、本実施形態に係る治具３０を示す斜視図であり、図３は、本実施形態に係る治具３０を示す側面図であり、図４は、図３のＡ−Ａ線による断面図である。
【００２６】
スペーサ２８は、スペーサ本体３２と、スペーサ本体３２の両端、すなわち上側と下側にそれぞれ設けられたフランジ３４とを有する。スペーサ本体３２は、鉛直方向におけるカウンターウエイト２０の長さを調整するための部材であり、鉛直方向に所定の長さを有する。また、スペーサ本体３２の鉛直方向に直交する面は、緩衝器２６の衝突面に対応する面積を有する。
【００２７】
フランジ３４は、スペーサ本体３２から張り出す板状部材である。フランジ３４には、貫通孔３６が形成され、ボルトなどの締結部材３８が貫通孔３６を貫通してカウンターウエイト２０または他のスペーサ２８と接続することで、スペーサ２８とカウンターウエイト２０、またはスペーサ２８同士が連結される。図２には、２つのスペーサ２８が示されている。これらのスペーサ２８のフランジ３４であって、互いに隣接する２つのフランジ３４の貫通孔３６に締結部材３８を貫通させ締結することで、２つのスペーサ２８は連結される。一方、締結された締結部材３８を緩めて取り除くことで、一方（上側）のスペーサ２８から他方（下側）のスペーサ２８を取り外すことができる。
【００２８】
本実施形態の治具３０は、隣接した２つのフランジ３４を外周側から挟み込み可能な断面コ字状の治具本体４０を２個有する。この治具本体４０を使用することにより、容易に、隣接する２つのフランジ３４を接続およびその状態を維持することができる。このように治具本体４０が、簡易的に締結部材３８の機能を果すことにより、一方のスペーサ２８に対して他方のスペーサ２８を着脱する着脱作業時に、その他方のスペーサ２８の落下が防止され、作業性及び安全性が向上する。上述のように、本実施形態の治具３０は、２個の治具本体４０を有し、図示されるように、フランジ３４の対向する辺にそれぞれ取り付けられる。しかし、本発明は治具本体４０の数２個に限定されず、着脱作業時に、スペーサ２８の落下を防止することができるのであれば、２個以上であってもよく、さらにフランジ３４の他の辺にも設けることもできる。
【００２９】
治具本体４０は、これの長手方向Ｌに、フランジ３８の一辺の長さに対応する長さを有する。なお、この長さは一例であり、長手方向Ｌにおける治具本体４０の長さが、フランジ３８の一辺の長さより長くても、短くてもよい。
【００３０】
治具本体４０は、上側のフランジ３４の上面３４ａに対向する上腕部４０ａと、下側のフランジ３４の下面３４ｂに対向する下腕部４０ｂと、上腕部４０ａと下腕部４０ｂと接続する接続部４０ｃとで構成される。接続部４０ｃの高さは、２つのフランジ３４を合わせた高さより大きく設定され、治具本体４０が２つのフランジ３４を外周側からの挟み込むことを容易にする。
【００３１】
上腕部４０ａと下腕部４０ｂには、２つのフランジ３４を締結している締結部材３８との接触を避けるための切欠き部４２が形成される。切欠き部４２が形成されることにより、締結部材３８が締結された状態であっても、フランジ３４に対して治具本体４０を取り付けることができる。また、治具本体４０がフランジ３４に取り付けられた状態であっても、締結部材３８を、貫通孔３６を通して締結する作業が可能になる。なお、本実施形態では、上腕部４０ａと下腕部４０ｂに切欠き部４２が形成される場合について説明したが、本発明はこの構成に限定されない。各部材の寸法や貫通孔３６の位置の設定によっては、治具本体４０がフランジ３４に取り付けられた状態で、上腕部４０ａと下腕部４０ｂが締結部材３８に接触しない場合がある。この場合には、上腕部４０ａと下腕部４０ｂに切欠き部４２を設ける必要はない。
【００３２】
また、治具３０は、治具本体４０に接続され、作業中における治具本体４０の落下を防止する落下防止金具４４を有する。落下防止金具４４は、治具本体３０の取り付け対象となるフランジ３４以外のフランジ３４に取り付けられる。落下防止金具４４は、フランジ３４の貫通孔３６に貫通可能なボルト４４ａと、このボルト４４ａに嵌り合うねじ孔を有する金具本体４４ｂとから構成される。図３に示されるように、着脱作業時において、締結部材３８が貫通しない、最下端にあるスペーサ２８の下側のフランジ３４に形成された貫通孔３６にボルト４４ａを通して、そのボルト４４ａと金具本体４４ｂを締結し、落下防止金具４４がフランジ３４に取り付けられる。
【００３３】
次に、着脱作業時における治具３０の使用方法について、連結されたスペーサ２８から最下端のスペーサ２８を取り外す作業を例に挙げ、説明する。
【００３４】
まず、治具本体４０を、隣接するフランジ３４に取り付け、落下防止金具４４を、最下端のスペーサ２８の下側のフランジ３４に取り付ける。そして、フランジ３４から締結部材３８を全て取り外す。このとき、下側のスペーサ２８は、治具本体４０を介して上側のスペーサ２８に連結されている。そして、下側のスペーサ２８を長手方向Ｌに沿うようにスライドさせて、上側のスペーサ２８から取り外す。この取り外し作業のみ、二人の作業員により行われる。なお、スペーサ２８を取り付ける作業は、上記手順を逆にして行われる。
【００３５】
このように、治具３０を使用することにより、締結部材３８の取り外しの際に、下側のスペーサ２８が落下してしまうことを確実に防ぐことができるので、安全性が向上する。また、上述のように、二人作業が、下側のスペーサ２８をスライドさせるときのみであるので、作業性が向上する。特に、限られた面積の足場上で作業をする場合に、有用である。
【００３６】
次に、別の実施形態の治具３０について、図５を用いて説明する。図５は、別の実施形態の治具３０を示す斜視図である。この図においては、治具本体４０に接続される落下防止金具４４の構成が、上記実施形態と同じであるため、その記載は省略する。なお、上記実施形態で述べた構成要素については、同じ符号を付し、その詳細な説明は省略する。
【００３７】
治具本体４０は、下側のフランジ３４との接触面に設けられ、そのフランジ３４に吸着する吸着部材４６を有する。吸着部材４６は、例えば磁石または吸盤である。この実施形態では、吸着部材４６が下腕部４０ｂに設けられているが、本発明はこの構成に限定されず、下側のフランジ３４と接触する領域であれば、接続部４０ｃに設けられてもよい。このように、治具本体４０に吸着部材４６を設けることにより、着脱作業時に、治具本体４０の落下を防止することができる。さらに、吸着部材４６により治具本体４０が下側のフランジ３４に吸着しているので、上側のスペーサ２８から下側のスペーサ２８をスライドさせて取り外すとき、下側のスペーサ２８にとともに治具本体４０も上側のスペーサ２８から取り外すことができる。一方、新たにスペーサ２８を連結する際には、新たな（最下端の）スペーサ２８の上側のフランジ３４に治具本体４０を予め吸着させることで、取り付け対象となる上側のスペーサ２８に対してスライドさせた装着が可能となる。
【００３８】
また、治具本体４０は、フランジ３４との接触面に形成され、治具本体４０とフランジ３４の相対的移動を容易にするガイド部（図示せず）を有する。ガイド部は、上側のフランジ３４との接触面に設けられ、治具本体４０の長手方向Ｌに伸びるように形成される溝構造である。溝構造は、長手方向Ｌへの移動に対して摩擦抵抗が小さくなるように形成される。これにより、上側のスペーサ２８から下側のスペーサ２８を取り外す作業と取り付ける作業がスムーズになり、作業性が向上する。なお、ガイド部は、上腕部４０ａに設けられてもよく、接続部４０ｃであって、上側のフランジ３４と接触する領域に設けられてもよい。
【００３９】
さらに、治具本体４０は、長手方向Ｌの一端に、その長手方向Ｌに直交するフランジ３４の外面に当接する当接部４８を有する。本実施形態の当接部４８は、図５に示されるように、断面コ字状の内部開口を全て塞ぐように形成されている。しかし、本発明はこの構成に限定されず、フランジ３４の外面に当接するのであれば、当接部４８は、その内部開口の一部を塞ぐように形成されてもよい。
【００４０】
このように、治具本体４０に当接部４８を設けることにより、新たにスペーサ２８を連結する際、そのスペーサ２８の位置決めが容易になる。具体的な作業手順としては、新たなスペーサ２８の上側のフランジ３４に治具本体４０を吸着させる際に、そのフランジ３４の、長手方向Ｌに直交するフランジ３４の外面に当接部４８を当接させる。そして、その当接部４８が、取り付け対象となる上側のスペーサ２８のフランジ３４に当接するまで、新たなスペーサ２８をスライドさせる。当接部４８が当接し、スライドできなくなった位置が、上下スペーサ２８が連結可能な位置になる。このように、当接部４８を設けることにより、上下フランジ３４の貫通孔３６を位置合わせすることなく、新たなスペーサ２８を治具本体４０とともにスライドさせるだけで、上下スペーサ２８の位置決めができる
【００４１】
また、当接部４８は、フランジ３４に対応するように取り付けられる２つの治具本体４０を接続するように形成される。すなわち、当接部４８は、長手方向Ｌに直交するフランジ３４の外面に沿って伸び、対向する治具本体４０を接続するように形成され、２つの治具本体４０を一体化する。２つの治具本体４０が一体化されたとしても、上述の着脱作業の手順によれば支障は生じない。この当接部４８の一体化により、部品点数を削減することができる。
【符号の説明】
【００４２】
１０  エレベータ、１２  機械室、１４  巻上機、１６  ロープ、１８  乗りかご、２０  カウンターウエイト、２２  昇降路、２４  ピット、２６  緩衝器、２８  カウンターウエイトスペーサ、３０  カウンターウエイトスペーサ用治具、３２  スペーサ本体、３４  フランジ、３６  貫通孔、３８  締結部材、４０  治具本体、４２  切欠き部、４４  落下防止金具、４６  吸着部材、４８  当接部。
【図１】
0005843660.tif 000002
【図２】
0005843660.tif 000003
【図３】
0005843660.tif 000004
【図４】
0005843660.tif 000005
【図５】
0005843660.tif 000006